(57)【特許請求の範囲】
【請求項１】
車輌の荷箱に立設された左右一対の支柱に沿って荷受台が昇降自在に設けられるとともに、荷箱の下方に格納可能に設けられた荷受台昇降装置において、前記荷受台が前後に少なくとも２つ折り自在になされ、該荷受台が折り畳まれた状態のまま荷箱の下方に水平移動することで格納されるように構成されたことを特徴とする荷受台昇降装置。
【請求項２】
前記左右一対の支柱間に配設されたクロスメンバーに荷受台の昇降駆動源である昇降シリンダが組み込まれるとともに、その後面部にテールランプ及びナンバープレートが埋設配置されたことを特徴とする請求項１記載の荷受台昇降装置。
【発明の詳細な説明】
【０００１】
【発明の属する技術分野】
本発明は、荷箱に立設した左右一対の支柱に沿って荷受台を昇降自在に設けた荷受台昇降装置に関するものである。
【０００２】
【従来の技術】
図８は、従来の荷受台昇降装置を示している。
【０００３】
荷受台昇降装置ａは、車輌の荷箱ｂの後端に立設された左右一対の支柱ｃと、該支柱ｃ内に昇降自在にそれぞれ挿入されたスライダ（図示省略）と、左右のスライダの下端部にブラケットｄを介して支持された荷受台ｅと、各スライダにそれぞれワイヤｆを介して連結された昇降シリンダｇとから構成されている。
【０００４】
上記昇降シリンダｇは、支柱ｃ間に配設されたクロスメンバーｈ内に配置されており、この昇降シリンダｇの伸縮作動によりワイヤｆを繰り出しもしくは引き込むことによりスライダを昇降作動させ、当該スライダにブラケットを介して連結された荷受台ｅを地上と荷箱ｂの床面との間で昇降作動させている。
【０００５】
そして、このように昇降作動する荷受台ｅは、スライダに対して水平方向にスライド自在に支持されており、このスライド動作によって荷箱ｂの後部下方の格納位置に格納するように構成されている。
【０００６】
【発明が解決しようとする課題】
しかしながら、上記従来のように車輌に搭載された荷受台昇降装置においては、車輌の後部にテールランプｉ及びナンバープレートｊを取付ける必要があり、これらテールランプｉ及びナンバープレートｊは、その構造上クロスメンバーｈの下方に設けていた。
【０００７】
従って、テールランプｉ及びナンバープレートｊがクロスメンバーｈから下方に突出した分、荷箱ｂの後部下方に格納する荷受台ｅとの干渉を避けるために当該荷受台ｅの地上高さが低くなるという問題があった。
【０００８】
また、一枚ものの荷受台ｅをそのままの状態で格納する場合には、荷箱ｂの後部下方にその分だけの格納前後スペースが必要になるため、小型トラックなど前後方向の格納スペースが小さい車輌への取付けに制約を受けていた。そして、このような前後方向の格納スペースが小さい車輌へ取付ける場合には、荷受台ｅを前後に例えば二つ折りすれば前後方向の格納スペースを小さくすることができる。しかし、上述したようにテールランプｉ及びナンバープレートｊがクロスメンバーｈから下方に突出しているため、荷受台ｅを二つ折りにするとさらに地上高さが低くなり、走行時などに干渉する危険が大きく、結局はこのような車輌には取付けることができないという問題があった。
【０００９】
本発明は、上記問題点に鑑みてなされたもので、その目的とするところは、地上高さを確保した上でしかも前後方向の格納スペースを小さくすることができ、小型車輌などに取付ける際の制約緩和を図ることのできる荷受台昇降装置を提供することにある。
【００１０】
【課題を解決するための手段】
請求項１に係る発明の荷受台昇降装置は、車輌の荷箱に立設された左右一対の支柱に沿って荷受台が昇降自在に設けられるとともに、荷箱の下方に格納可能に設けられた荷受台昇降装置において、前記荷受台が前後に少なくとも２つ折り自在になされ、該荷受台が折り畳まれた状態のまま荷箱の下方に水平移動することで格納されるように構成されたものである。
【００１１】
請求項２に係る発明の荷受台昇降装置は、前記左右一対の支柱間に配設されたクロスメンバーに荷受台の昇降駆動源である昇降シリンダが組み込まれるとともに、その後面部にテールランプ及びナンバープレートが埋設配置されたものである。
【００１２】
【発明の実施の形態】
以下、本発明の実施の形態を図面を参照して説明する。
【００１３】
図１は、本発明の荷受台昇降装置を示している。
【００１４】
荷受台昇降装置１は、車輌の荷箱２の後端に立設された左右一対の支柱３と、該支柱３内に昇降自在にそれぞれ挿入されたスライダ４（図２参照）と、左右のスライダ４の下端部に支持された荷受台５と、各スライダ４にそれぞれワイヤ６を介して連結された昇降シリンダ７とから構成されている。
【００１５】
具体的には、支柱３は、横断面が矩形状で中空の長尺体からなり、この内部にスライダ４が配置されている。
【００１６】
スライダ４は、その上端部及び途中部に図示しない昇降ローラが複数設けられ、これら昇降ローラによってスライダ４の昇降移動を円滑に行なうようにしている。
【００１７】
そして、これら左右のスライダ４の上端部には各ワイヤ６の一端部がそれぞれ止着されている。ワイヤ６は、スライダ４から上方に導かれ、支柱３の上部に設けられたシーブ３３によって下方に折り返されて前部側を下方に導かれた後、支柱３の下部からシーブ（図示省略）を経て昇降シリンダ７に導かれ、他端が適宜に止着されている。
【００１８】
昇降シリンダ７は、図１及び図２に示すように支柱３間に配設されたクロスメンバー８内の前部に配置されており、この昇降シリンダ７の伸縮作動により上述のように配置されたワイヤ６を支柱３に繰り出し、もしくは支柱３から引き込むことによりスライダ４を昇降作動させるようにしている。
【００１９】
従って、前述したように昇降シリンダ７によりスライダ４を昇降作動させることで、当該スライダ４に連結された荷受台５を地上と荷箱２の床面との間で昇降作動させることができる。
【００２０】
一方、前記クロスメンバー８には、図２に示すようにその後面部にテールランプ９１及びナンバープレート９２が埋設配置されている。具体的には、クロスメンバー８は、前記昇降シリンダ７を収容する前側収容部８１と、テールランプ９１及びナンバープレート９２を収容する後側収容部８２とに仕切壁８３で前後約半分に区画されている。
【００２１】
後側収容部８２は、既存のクロスメンバー８の後面を切欠き、昇降シリンダ７を収容した前側部分と仕切壁８３で仕切ることによって形成されており、図３に示すように後側収容部８２内の両側にテールランプ９１を配設するとともに、その中央部にナンバープレート９２を配設している。つまり、従来では空間部になっているものの使用されていなかったクロスメンバー８内の後部スペースを有効に利用している。これにより、従来ではクロスメンバー８の下部に設けていたテールランプ９１及びナンバープレート９２を、クロスメンバー８内に収容した分だけテールランプ９１及びナンバープレート９２の高さ位置を高く確保できる。
【００２２】
なお、前記仕切壁８３は必ずしも必要でなく、必要に応じて補強部材などをクロスメンバー８内に配設して仕切壁８３を無くした構造であってもよい。
【００２３】
荷受台５は、前後２つに分割された基端側荷受部材５１と先端側荷受部材５２とを備え、基端側荷受部材５１と先端側荷受部材５２とはヒンジ５３を介して回動自在に連結されており、先端側荷受部材５２が基端側荷受部材５１の上面に２つ折り自在に構成されている。
【００２４】
基端側荷受部材５１は、図４及び図５に示すように前記先端側荷受部材５２とともにその上面に荷物を載置する荷受本体部５４と、荷受本体部５４の両側に設けられ前記スライダ４に支持される支持部５５とが連結部材５６を介して連結されてなり、これら荷受本体部５４と支持部５５との取付構造は以下のようになっている。
【００２５】
連結部材５６は、荷受本体部５４の両側と支持部５５との間に介装される平板状の固定部５６ａと、この固定部５６ａの上端全体に亘って下向きコ字状に形成された引掛け部５６ｂとから構成されている。そして、荷受本体部５４と連結部材５６（固定部５６ａ）とが溶接等の手段で強固に連結されている。
【００２６】
従って、引掛け部５６ｂを支持部５５の上端部に上方から嵌入支持した状態で、上記荷受本体部５４と支持部５５とを固定部５６ａを介して固定ボルト５７によって適数箇所を締結することで、荷受本体部５４と支持部５５とを一体的に固定して基端側荷受部材５１を構成している。
【００２７】
つまり、引掛け部５６ｂで支持部５５の上端部を抱え込んで支持した連結部材５６を介して荷受本体部５４の両側と支持部５５とを固定ボルト５７によって固定しているので、当該連結部材５６の作用によって固定ボルト５７による固定箇所を少なくしても十分な固定強度を得ることができる。
【００２８】
このように基端側荷受部材５１を構成することで、荷受本体部５４及び連結部材５６をアルミ製にして、支持部５５をスチール製にしても、荷受本体部５４と支持部５５とを十分な強度で一体化することができる。しかもスライダ４との結合部分であり最も負荷がかかる支持部５５をスチール製にしているので、荷受台５の剛性強度を十分に確保することができるとともに、軽量化を図ることができる。そして、先端側荷受部材５２も荷受本体部５４と同様にアルミ製とすることで、荷受台５全体の軽量化をさらに図ることができる。
【００２９】
前記支持部５５は、図２及び図６に示すようにその外側面にガイド溝５５ａが前後方向に形成される一方、各スライダ４の下端部からブラケット４１が支柱３の後方に突出配置されており、このブラケット４１の下端部に設けられた第１ガイドローラ４２が上記ガイド溝５５ａに転動自在に配置されている。ブラケット４１は、支柱３の後面３１に上下方向に形成された切欠溝３２（図１参照）を挿通して支柱３から後方に突出配置されている。
【００３０】
また、スライダ４の下端に設けられた当接ローラ４３は、荷受台５を後述する格納位置（図２参照）から後方にスライドさせて当該後方に突出配置される作業位置（図６参照）に配置した際には支持部５５の基端部を支持しており、これにより前記第１ガイドローラ４２による下方からの支持と相まって荷受台５を水平状態で保持するようにしている。この際、第１ガイドローラ４２はガイド溝５５ａの前方終端位置に配置されている。
【００３１】
さらに、支持部５５の基端部には図示しないが第２ガイドローラが設けられている。第２ガイドローラは、荷箱２の後部下方に設けられた左右一対のスライドレール２１に沿って前後に転動自在に設けられており、この第２ガイドローラを通じて荷受台５がスライドレール２１に沿って円滑に移動できるようにしている。
【００３２】
このように構成された荷受台５は、折り畳んだ状態でスライドレール２１の前端部にスライドさせて荷箱２の後部下方に格納する図２に示す格納位置Ａと、スライドレール２１の後方にスライドさせて折り畳んだ先端側荷受部材５２を基端側荷受部材５２の延長上に水平に展開して地上と荷箱２の床面との間で昇降作動させる図６に示す作業位置Ｂとに配置することができる。
【００３３】
ところで、荷受台５とスライダ４との間には、図７に示す同調機構１０が設けられている。同調機構１０は、上述のように格納位置Ａと作業位置Ｂとの間で荷受台５を左右のスライドレール２１に沿って円滑にスライドさせるためのもので、荷受台５の押し引きそれぞれに作用する２組の同調ワイヤ１１、１２で構成されており、各同調ワイヤ１１、１２は以下のように張設されている。
【００３４】
一方の同調ワイヤ１１は、その一端が図７において上側となる一方のスライダ４に連結された取付部材４５に止着され、途中部が前方（図７における左方）に導かれた後、前記基端側荷受部材５１の基端一側部（図７における上側）に設けられたシーブ１３に巻回されて後方に折り返され、前記基端側荷受部材５１の先端側に導かれた後に当該基端側荷受部材５１の先端寄り一側部に設けられたシーブ１４に巻回されて基端側荷受部材５１の他側部（（図７における下側）に導かれ、この他側部に設けられたシーブ１５に巻回され、他端が他方のスライダ４の取付部材４６に止着されている。
【００３５】
他方の同調ワイヤ１２は、その一端が図７において下側となる他方のスライダ４に連結された取付部材４６に止着され、途中部が前方（図７における左方）に導かれた後、前記基端側荷受部材５１の基端他側部（図７における下側）に設けられたシーブ１６に巻回されて後方に折り返され、前記基端側荷受部材５１の先端側に導かれた後に当該基端側荷受部材５１の先端寄り他側部に設けられたシーブ１７に巻回されて基端側荷受部材５１の一側部（図７における上側）に導かれ、この一側部に設けられたシーブ１８に巻回され、他端が一方のスライダ４の取付部材４５に止着されている。
【００３６】
上述した同調ワイヤ１１、１２及び各シーブ１３乃至１８は、例えば基端側荷受部材５１の底面空間部を利用して配置されている。
【００３７】
さらに、前記支柱３の後面３１には、カバー材Ｃが連設されている。カバー材Ｃは、支柱３の後面３１から後方に突出配置されたブラケット４１を被覆するためのもので、支柱３の左右の横幅と同じ横幅を有するとともに、ブラケット４１の突出長さと略同じ前後幅を有する横断面矩形状の中空長尺体に形成されている。つまり、カバー材Ｃは各支柱３の後方延長上にこの支柱３と一体化した形で配置されている。このカバー材Ｃの後面には、スライダ４の昇降動作に伴うブラケット４１の上下移動を許容するための切欠溝Ｃ１が形成されている。
【００３８】
このようにカバー材Ｃにより支柱３から突出したブラケット４１を内部に被覆することで、ブラケット４１を損傷などから保護するとともに、装置全体の外観をスッキリとさせることができ、意匠性の向上を図ることができる。
【００３９】
次に、このように構成された荷受台昇降装置１の動作について説明する。
【００４０】
図２に示すように荷受台５が格納位置Ａに配置された状態において、作業者がまず荷受台５を荷箱２の後方に引き出す。これにより荷受台５は、基端側荷受部材５１の基端に設けられた第２ガイドローラがスライドレール２１に沿って移動するとともに、第１ガイドローラ４２がガイド溝５５ａに沿って移動することで、荷箱２の後方に突出する作業位置Ｂに配置される。
【００４１】
このようにして荷受台５を格納位置Ａから作業位置Ｂにスライドさせる際において、荷受台５の両側部は同調機構１０を構成する２組の同調ワイヤ１１、１２の作用によりガイドレール２１対して前後にずれることなく、左右で同調しながらスライドすることになる。これにより荷受台５を第１ガイドローラ４２及び第２ガイドローラを通じてスムーズにスライドさせることができる。
【００４２】
次に、この作業位置Ｂにおいて折り畳まれた荷受台５の先端側荷受部材５２を後方に回動させて基端側荷受部材５１と先端側荷受部材５２とが水平になるように展開する。この後、昇降シリンダ７を伸縮作動させてワイヤ６を通じてスライダ４を支柱３に沿って昇降作動させることで、このスライダ４に連結された荷受台５を地上と荷箱２の床面との間で昇降作動させ、これによって荷受台５を通じて地上と荷箱２との間で荷物の積卸し作業を行う。
【００４３】
そして、荷物の積卸し作業が終了すると、前述した動作と逆の動作により荷受台５を折り畳んで、荷箱２の後方から荷箱２の後部下方に押し込むことで格納位置Ａに配置する。この際も、同調機構１０により荷受台５を第１ガイドローラ４２及び第２ガイドローラを通じてスムーズにスライドさせて格納位置Ａに配置することができる。
【００４４】
このように荷受台５を前後２つに折り畳んだ状態で荷箱２の後部下方に格納することで、荷受台５を格納するための荷箱２の後部下方の前後の格納スペースを当該荷受台５を折り畳んだ分だけ小さくすることができる。このため、上記格納スペースの縮小により従来ではスペース上の制約を受けて取付けることのできなかった、小型のトラックにも取付けが可能になる。
【００４５】
また、クロスメンバー８の後面にテールランプ９１及びナンバープレート９２を埋設して、テールランプ９１及びナンバープレート９２の高さ位置を高くしているので、この分だけ荷受台５の折り畳みにより当該荷受台５の上下幅が厚くなってもこの厚みを吸収することができ、これにより格納時における荷受台５の地上高さを従来以上に確保することができる。
【００４６】
なお、本実施の形態では、荷受台５を二つ折りに構成したものに付いて説明したが、荷受台５は２つ折りに限らず、３つ折りもしくはそれ以上に折り畳むように構成してもよい。
【００４７】
【発明の効果】
以上述べたように、本発明の荷受台昇降装置によれば、荷受台を前後に少なくとも２つ折り自在に構成し、該荷受台を折り畳んだ状態で荷箱の下方に水平移動させて格納するように構成したことにより、この荷受台を格納するための荷箱の後部下方の前後の格納スペースを当該荷受台を折り畳んだ分だけ小さくすることができる。このため、上記格納スペースの縮小により従来ではスペース上の制約を受けて取付けることのできなかった、小型のトラックにも取付けが可能になる。
【００４８】
また、左右一対の支柱間に配設されたクロスメンバーの後面部に、テールランプ及びナンバープレートを埋設配置したことで、従来のようにクロスメンバーの下方に設けたものに比べて荷箱の後部下方に格納する荷受台の地上高さを高くすることができる。
【図面の簡単な説明】
【図１】本発明の荷受台昇降装置を示す斜視図である。
【図２】格納位置に配置された荷受台昇降装置を示す一部断面の側面図である。
【図３】格納位置に配置された荷受台昇降装置を示す正面図である。
【図４】基端側荷受部材の構造を示す正面図である。
【図５】荷受台を示す平面図である。
【図６】作業位置に配置された荷受台昇降装置を示す一部断面の側面図である。
【図７】同調機構の構成を示す概略図である。
【図８】従来の荷受台昇降装置を示す斜視図である。
【符号の説明】
１  荷受台昇降装置
２  荷箱
３  支柱
５  荷受台
５１  基端側荷受部材
５２  先端側荷受部材
８  クロスメンバー
９１  テールランプ
９２  ナンバープレート
Ａ  格納位置
Ｂ  作業位置
【図１】
0003884305.tif 000002
【図２】
0003884305.tif 000003
【図３】
0003884305.tif 000004
【図４】
0003884305.tif 000005
【図５】
0003884305.tif 000006
【図６】
0003884305.tif 000007
【図７】
0003884305.tif 000008
【図８】
0003884305.tif 000009